【事件の表示】
　特願２００１−２８３２９１「電子部品実装装置および電子部品実装方法」拒絶査定不服審判事件〔平成１５年　３月２８日出願公開、特開２００３−　９２４９５〕について、次のとおり審決する。
【結　論】
　本件審判の請求は、成り立たない。
【理　由】
１．手続の経緯
　本件審判に係る出願は、平成１３年９月１８日に出願されたもので、平成１８年５月１８日付け拒絶理由通知書が送付され、願書に添付した明細書又は図面についての同年７月１８日付け手続補正書が提出されたものの、同年８月８日付けで拒絶査定されたものである。
　そして、本件審判は、この拒絶査定を不服として請求されたもので、上記明細書又は図面についての平成１８年１０月１８日付け手続補正書が提出されている。
　
２．原査定 
　原査定の拒絶理由の１つは、以下のとおりのものと認める。
　
　「この出願の請求項１に係る発明は、その出願前日本国内又は外国において頒布された刊行物である特開平８−１１１５９８号公報に記載された発明に基いて、その出願前にその発明の属する技術の分野における通常の知識を有する者が容易に発明をすることができたものであるから、特許法第２９条第２項の規定により特許を受けることができない。」
　
　「特開平８−１１１５９８号公報」を、以下、「引用刊行物１」という。
　
３．当審の判断
　
３−１．平成１８年１０月１８日付け手続補正書による手続補正（以下、「本件補正」という。）について
　本件補正は、以下に詳述するように、平成１８年改正前の特許法第１７条の２第４項、又は第５項の規定により準用する同法第１２６条第５項の規定に違反するものであるから、特許法第１５９条第１項の規定により読み替えて準用する同法第５３条第１項の規定により却下すべきものである。
　
３−１−１．本件補正の内容 
　本件補正は、以下の補正事項ａを有するものと認める。
　
補正事項ａ；特許請求の範囲の記載につき、以下（ｃｌ）を（ＣＬ）と補正する。
　
（ｃｌ）；「【請求項１】部品供給部から電子部品をピックアップして基板位置決め部に位置決めされた基板に移送搭載する電子部品実装装置であって、前記電子部品を吸着保持する吸着ノズルを複数備えた移載ヘッドと、この移載ヘッドを前記部品供給部と基板位置決め部との間で移動させる移動手段と、前記移載ヘッドに配設され上昇した状態の各吸着ノズルごとに電子部品の有無を光学的方法によって検出する部品検出手段とを備え、前記部品検出手段は各吸着ノズルにそれぞれ個別に対応した一対の投光部と受光部から成り、それぞれの投光部から受光部に至る光軸が各吸着ノズルに保持された電子部品を個別に検出することを特徴とする電子部品実装装置。
　【請求項２】部品供給部から電子部品をピックアップして基板位置決め部に位置決めされた基板に移送搭載する電子部品実装方法であって、電子部品を吸着保持する吸着ノズルを複数備えた移載ヘッドによって前記部品供給部から電子部品をピックアップする部品取り出し行程において、前記移載ヘッドに配設され上昇したタイミングにおいて各吸着ノズルごとに電子部品の有無を光学的方法によって検出する部品検出手段によって、吸着ノズルが電子部品を保持しないまま上昇するピックアップミスの検知を各吸着ノズルごとに行うものであり、前記部品検出手段は各吸着ノズルにそれぞれ個別に対応した一対の投光部と受光部から成り、それぞれの投光部から受光部に至る光軸が各吸着ノズルに保持された電子部品を個別に検出することを特徴とする電子部品実装方法。
　【請求項３】部品供給部から電子部品をピックアップして基板位置決め部に位置決めされた基板に移送搭載する電子部品実装方法であって、電子部品を吸着保持する吸着ノズルを複数備えた移載ヘッドによって前記部品供給部から電子部品を取り出した後、この移載ヘッドが前記基板位置決め部へ移動する部品移送工程において、前記移載ヘッドに配設され各吸着ノズルごとに電子部品の有無を光学的方法によって検出する部品検出手段によって、吸着ノズルから電子部品が脱落する部品脱落の検知を各吸着ノズルごとに行うものであり、前記部品検出手段は各吸着ノズルにそれぞれ個別に対応した一対の投光部と受光部から成り、それぞれの投光部から受光部に至る光軸が各吸着ノズルに保持された電子部品を個別に検出することを特徴とする電子部品実装方法。
　【請求項４】部品供給部から電子部品をピックアップして基板位置決め部に位置決めされた基板に移送搭載する電子部品実装方法であって、電子部品を吸着保持する吸着ノズルを複数備えた移載ヘッドによって前記部品供給部から電子部品を取り出し、この移載ヘッドによって前記基板に電子部品を搭載する搭載工程の直後において、前記移載ヘッドに配設され各吸着ノズルごとに電子部品の有無を光学的方法によって検出する部品検出手段によって、搭載動作後もなお電子部品が吸着ノズルに保持されたまま残留する搭載ミスの検知を各吸着ノズルごとに行うものであり、前記部品検出手段は各吸着ノズルにそれぞれ個別に対応した一対の投光部と受光部から成り、それぞれの投光部から受光部に至る光軸が各吸着ノズルに保持された電子部品を個別に検出することを特徴とする電子部品実装方法。」
　
（ＣＬ）「【請求項１】部品供給部から電子部品をピックアップして基板位置決め部に位置決めされた基板に移送搭載する電子部品実装装置であって、前記電子部品を吸着保持する吸着ノズルを複数備えた移載ヘッドと、この移載ヘッドを前記部品供給部と基板位置決め部との間で移動させる移動手段と、前記移載ヘッドに配設され上昇した状態の各吸着ノズルごとに電子部品の有無を光学的方法によって検出する部品検出手段とを備え、前記複数の吸着ノズルは円周上の等配位置に配設されており、前記部品検出手段は前記円周上の各吸着ノズルにそれぞれ個別に対応した一対の投光部と受光部から成り、それぞれの投光部から受光部に至る光軸が各吸着ノズルに保持された電子部品を個別に検出することを特徴とする電子部品実装装置。
　【請求項２】部品供給部から電子部品をピックアップして基板位置決め部に位置決めされた基板に移送搭載する電子部品実装方法であって、電子部品を吸着保持する吸着ノズルを複数備えた移載ヘッドによって前記部品供給部から電子部品をピックアップする部品取り出し行程において、前記移載ヘッドに配設され上昇したタイミングにおいて各吸着ノズルごとに電子部品の有無を光学的方法によって検出する部品検出手段によって、吸着ノズルが電子部品を保持しないまま上昇するピックアップミスの検知を各吸着ノズルごとに行うものであり、前記複数の吸着ノズルは円周上の等配位置に配設されており、前記部品検出手段は前記円周上の各吸着ノズルにそれぞれ個別に対応した一対の投光部と受光部から成り、それぞれの投光部から受光部に至る光軸が各吸着ノズルに保持された電子部品を個別に検出することを特徴とする電子部品実装方法。
　【請求項３】部品供給部から電子部品をピックアップして基板位置決め部に位置決めされた基板に移送搭載する電子部品実装方法であって、電子部品を吸着保持する吸着ノズルを複数備えた移載ヘッドによって前記部品供給部から電子部品を取り出した後、この移載ヘッドが前記基板位置決め部へ移動する部品移送工程において、前記移載ヘッドに配設され各吸着ノズルごとに電子部品の有無を光学的方法によって検出する部品検出手段によって、吸着ノズルから電子部品が脱落する部品脱落の検知を各吸着ノズルごとに行うものであり、前記複数の吸着ノズルは円周上の等配位置に配設されており、前記部品検出手段は前記円周上の各吸着ノズルにそれぞれ個別に対応した一対の投光部と受光部から成り、それぞれの投光部から受光部に至る光軸が各吸着ノズルに保持された電子部品を個別に検出することを特徴とする電子部品実装方法。
　【請求項４】部品供給部から電子部品をピックアップして基板位置決め部に位置決めされた基板に移送搭載する電子部品実装方法であって、電子部品を吸着保持する吸着ノズルを複数備えた移載ヘッドによって前記部品供給部から電子部品を取り出し、この移載ヘッドによって前記基板に電子部品を搭載する搭載工程の直後において、前記移載ヘッドに配設され各吸着ノズルごとに電子部品の有無を光学的方法によって検出する部品検出手段によって、搭載動作後もなお電子部品が吸着ノズルに保持されたまま残留する搭載ミスの検知を各吸着ノズルごとに行うものであり、前記複数の吸着ノズルは円周上の等配位置に配設されており、前記部品検出手段は前記円周上の各吸着ノズルにそれぞれ個別に対応した一対の投光部と受光部から成り、それぞれの投光部から受光部に至る光軸が各吸着ノズルに保持された電子部品を個別に検出することを特徴とする電子部品実装方法。」
　
　ここ「３−１」では、本件補正前の請求項１を旧【請求項１】といい、本件補正後の請求項１を新【請求項１】という。
　
３−１−２．本件補正の適否
　補正事項ａは「第３６条第５項に規定する請求項の削除」（以下、単に、「請求項の削除」という。）、「特許請求の範囲の減縮（第３６条第５項の規定により請求項に記載した発明を特定するために必要な事項を限定するものであつて、その補正前の当該請求項に記載された発明とその補正後の当該請求項に記載される発明の産業上の利用分野及び解決しようとする課題が同一であるものに限る。）」（以下、「限定的減縮」という。）、「誤記の訂正」又は「明りようでない記載の釈明（拒絶理由通知に係る拒絶の理由に示す事項についてするものに限る。）」（以下、単に、「明りようでない記載の釈明」という。）のいずれかを目的にしている、とする根拠は見当たらないし、また、限定的減縮を目的にしているとしても、補正事項ａによる補正後の特許請求の範囲に記載されている事項により特定される発明は、特許出願の際独立して特許を受けることができない。
　
（１）補正事項ａの目的について
　
１）補正事項ａは、旧【請求項１】を新【請求項１】とする補正であって、旧【請求項１】に「前記複数の吸着ノズルは円周上の等配位置に配設されており、」との記載を追加することにより、旧【請求項１】に記載されていた「複数の吸着ノズル」につき、これらが円周上の等配位置に配設されている、とする補正である。
　そこで、検討すると、この補正は、「請求項の削除」、「限定的減縮」、「誤記の訂正」又は「明りようでない記載の釈明」のいずれかを目的にしているとはいえない。
　
２）これに対する主張を、請求人は、していないが、以下に、補足する。
　旧【請求項１】には、複数の吸着ノズルが備えられていることについて、記載があったと認められるものの、これらが配設されている位置については、旧【請求項１】に記載された発明は、発明を特定するために必要な事項としてはいなかったし、また、そうである以上、この位置に関し、旧【請求項１】に記載された発明と新【請求項１】に記載される発明の解決しようとする課題が同一であるとする理由もない。
　よって、補正事項ａは、「限定的減縮」を目的しているとはいえないし、また、「請求項の削除」、「誤記の訂正」又は「明りようでない記載の釈明」のいずれかを目的にしている、とする理由も見当たらない。
　
（２）独立特許要件について
　
１）新【請求項１】に係る発明（以下、「補正発明」という。）は、新【請求項１】に記載された事項により特定されるもので、同項の記載は、以下のとおりのものと認める。
　
　「部品供給部から電子部品をピックアップして基板位置決め部に位置決めされた基板に移送搭載する電子部品実装装置であって、前記電子部品を吸着保持する吸着ノズルを複数備えた移載ヘッドと、この移載ヘッドを前記部品供給部と基板位置決め部との間で移動させる移動手段と、前記移載ヘッドに配設され上昇した状態の各吸着ノズルごとに電子部品の有無を光学的方法によって検出する部品検出手段とを備え、前記複数の吸着ノズルは円周上の等配位置に配設されており、前記部品検出手段は前記円周上の各吸着ノズルにそれぞれ個別に対応した一対の投光部と受光部から成り、それぞれの投光部から受光部に至る光軸が各吸着ノズルに保持された電子部品を個別に検出することを特徴とする電子部品実装装置。」
　
２）本件審判に係る出願前に頒布された刊行物であることが明らかな「特開平１１−６８３９５号公報」（以下、「引用刊行物２」という。）には、以下の記載ａが認められる。
　
ａ；「【０００２】
【従来の技術】従来から、移動可能なヘッドユニットに吸着ノズルを備えたヘッドを搭載し、部品供給部のテープフィーダー等からＩＣ等の小片状の電子部品を吸着して位置決めされているプリント基板上に移送し、プリント基板の所定位置に装着するようにした表面実装機（以下、単に実装機という）は一般に知られており、最近では、吸着された部品に光を照射して部品の投影を検出する光学的検知手段を設け、この投影の検出に基づいて部品の吸着状態、例えばヘッドに対する吸着位置のずれや傾きを調べて装着位置の補正等を行なうようにした装置が開発されている。
【０００３】特に、光学的検知手段を上記ヘッドユニットに搭載することで、部品吸着から装着までのヘッドユニットの移動期間を利用して部品の吸着状態を調べるようにした実装機も提案されており、この実装機では、吸着ノズルが通過する空間を挾んだ相対向する位置に照射部及び受光部が配置され、吸着された部品に対して照射部から平行光線が照射されて受光部で当該部品の投影幅が検出されることにより部品の吸着状態が調べられるようになっている。
【０００４】
【発明が解決しようとする課題】ところで、上記のように光学式検知手段をヘッドユニットに搭載した実装機において、近年では、複数のヘッドをヘッドユニットに搭載することが行われており、この種の実装機においては、各ヘッドに吸着された部品の吸着状態をヘッドユニットの移動中のわずかな時間で調べることが要求される。
【０００５】そのため、各ヘッドに吸着された部品の投影を同時に行うように光学的検出手段が構成されるが、一般には、図１０に示すように、各ヘッド５０の配設方向にわたる広幅の平行光線５３を照射、受光し得るような照射部５１及び受光部５２を備えた光学的検知手段を構成したり、あるいは、図１１に示すように、各ヘッド５０毎に平行光線５３の照射部５１及び受光部５２を設け、これらをヘッド配列方向に一列に並べた検知を構成することが行われている。」及び【図１１】（６頁）
　
　そして、引用刊行物２には、記載ａによれば、従来の技術として、大凡、以下の発明（以下、「引用発明２」という。）が記載されていると認められる。
　
　「部品供給部から電子部品を吸着して位置決めされているプリント基板に移送し装着する表面実装機であって、前記電子部品を吸着する、吸着ノズルをそれぞれ備えた複数のヘッド、を搭載した移動可能なヘッドユニットと、このヘッドユニットを前記部品供給部とプリント基板が位置決めされている部位との間で移動させる移動手段と、前記ヘッドユニットに備えられ、電子部品の吸着から装着までの該ヘッドユニットの移動期間に、各ヘッドごとに電子部品の吸着状態を検知する光学的検出手段とを備え、前記複数のヘッドはほぼ一列に配されており、前記光学的検出手段は、各ヘッドにそれぞれ個別に対応した一対の照射部と受光部から成り、それぞれの照射部から受光部に至る平行光線により各ヘッドに吸着された電子部品を個別に検出する表面実装機。」
　
３）次に、補正発明と引用発明２とを対比すると、引用発明２の「吸着ノズルを備えたヘッド」は、補正発明の「吸着ノズル」に対応し、更に、引用発明２の「ヘッドユニット」、「光学的検出手段」及び「平行光線」は、補正発明の「移載ヘッド」、「部品検出手段」及び「光軸」に対応しているということができる。
　また、引用発明２において、部品供給部から電子部品を吸着し、移送に移る前に、部品供給部から電子部品をピックアップしていることは普通に理解できることである。
　更に、引用発明２の光学的検出手段は、電子部品の吸着から装着までのヘッドユニットの移動期間に、各ヘッドごとに電子部品の吸着状態を検知するもので、この移動期間に、各ヘッドが上昇した状態にあるのは明らかであるから、引用発明２は、この状態の各ヘッドごとに電子部品の吸着状態を検知しているということができる。また、この吸着状態とは、記載ａの段落【０００２】によれば、ヘッドに対する吸着位置のずれや傾きであることが分かり、そして、このずれや傾きを検知するということは、実質的に、電子部品の有無をも検出しているということができる。
　以上のことから、補正発明は、引用発明２とは、
　
　「部品供給部から電子部品をピックアップして基板位置決め部に位置決めされた基板に移送搭載する電子部品実装装置であって、前記電子部品を吸着保持する吸着ノズルを複数備えた移載ヘッドと、この移載ヘッドを前記部品供給部と基板位置決め部との間で移動させる移動手段と、前記移載ヘッドに配設され各吸着ノズルごとに電子部品の有無を光学的方法によって検出する部品検出手段とを備え、前記部品検出手段は各吸着ノズルにそれぞれ個別に対応した一対の投光部と受光部から成り、それぞれの投光部から受光部に至る光軸が各吸着ノズルに保持された電子部品を個別に検出する電子部品実装装置」である点で一致し、以下の点において相違していると認められる。
　
相違点ａ；補正発明は、複数の吸着ノズルが円周上の等配位置に配設されており、部品検出手段が前記円周上の各吸着ノズルにそれぞれ個別に対応したものであるのに対し、引用発明２は、複数のヘッドがほぼ一列に配されており、光学的検出手段が各ヘッドにそれぞれ個別に対応したものである点。
　
４）そこで、相違点ａについて検討する。
　電子部品を基板に実装する技術において、電子部品を吸着する複数の吸着ノズルを円周上の等配位置に配設した移載ヘッドを用いることは、この出願前、周知の技術であるから（特開平９−３２６５９１号公報）、引用発明２におけるヘッドユニットに、この周知の技術を適用し、複数の吸着ノズルが円周上の等配位置に配設された移載ヘッドとし、光学的検出手段が前記円周上の各ヘッドにそれぞれ個別に対応したものとすることは、容易に為し得るものといえ、相違点ａは容易に想到し得るものである。
　
５）してみると、補正発明は、引用発明２に基いて、その出願前にその発明の属する技術の分野における通常の知識を有する者が容易に発明をすることができたものであるから、特許法第２９条第２項の規定により特許を受けることができず、特許出願の際独立して特許を受けることができないものである。
　
３−１−３．まとめ 
　補正事項ａを有する本件補正は、平成１８年改正前の特許法第１７条の２第４項、又は第５項の規定により準用する同法第１２６条第５項の規定に違反するものである。
　
３−２．原査定の拒絶理由について
　
３−２−１．本件の発明
　本件補正は、先に「３−１」で述べたように却下すべきものであり、本件の請求項１に係る発明（以下、「本件発明」という。）は、本件補正前の、願書に添付した明細書の請求項１に記載の事項により特定されるものであって、同項の記載は、以下のとおりのものと認める。
　
　「部品供給部から電子部品をピックアップして基板位置決め部に位置決めされた基板に移送搭載する電子部品実装装置であって、前記電子部品を吸着保持する吸着ノズルを複数備えた移載ヘッドと、この移載ヘッドを前記部品供給部と基板位置決め部との間で移動させる移動手段と、前記移載ヘッドに配設され上昇した状態の各吸着ノズルごとに電子部品の有無を光学的方法によって検出する部品検出手段とを備え、前記部品検出手段は各吸着ノズルにそれぞれ個別に対応した一対の投光部と受光部から成り、それぞれの投光部から受光部に至る光軸が各吸着ノズルに保持された電子部品を個別に検出することを特徴とする電子部品実装装置。」
　
３−２−２．引用刊行物１の記載
　引用刊行物１には、以下の記載が認められる。
　
Ａ；「【特許請求の範囲】
【請求項１】 部品供給側と装着側とにわたって移動可能なヘッドユニットに設けられた吸着ノズルと、この吸着ノズルを回転させる回転駆動手段と、平行光線の照射部及び受光部を有し上記吸着ノズルに吸着された部品に平行光線を照射して部品の投影幅を検出する部品認識用ユニットと、上記部品認識用ユニットによる検出に基づいて上記吸着ノズルに吸着された部品の認識を行なう手段とを備えた表面実装機において、上記ヘッドユニットに複数の吸着ノズルを配設し、上記部品認識用ユニットの照射部及び受光部を上記吸着ノズル配設範囲に対応する範囲に相対向させて配置し、かつ、上記受光部を複数に分割したラインセンサにより構成するとともに、上記各吸着ノズルに吸着された部品を上記照射部と受光部との間に位置させた状態で上記各吸着ノズルを回転させつつ上記各ラインセンサからの信号を受けて、各吸着ノズルに吸着された部品の認識を同時に行なう制御手段を設けたことを特徴とする表面実装機。」
Ｂ；「【０００１】
【産業上の利用分野】本発明は、吸着ノズルを備えたヘッドユニットにより部品供給部から電子部品を吸着してプリント基板に装着するものであって、特に、ヘッドユニットに複数の吸着ノズルを備えるとともに、平行光線の照射部と受光部とからなる部品認識用ユニットを備えた表面実装機に関するものである。」
Ｃ；「【００２６】実装動作が開始されると、先ず部品供給部４へヘッドユニット５が移動され（ステップＳ１）、各吸着ノズル２２に部品３５が吸着される（ステップＳ２）。つまり、吸着ノズル２２に負圧が供給されるとともに、吸着ノズル２２が部品３５に当接する位置まで下降されて、部品３５が吸着される。・・・（審決注；「・・・」は記載の省略を示す。以下、同様。）。
【００２７】部品吸着後は、吸着ノズル２２が部品に応じて設定された認識高さ位置へ上昇されるとともに、全吸着ノズル２２が干渉位置よりも上昇したときにプリント基板上へのヘッドユニット５の移動が開始される。そして、全ての吸着ノズル２２が認識高さ位置に到達したか否かが判定され（ステップＳ３）、認識高さ位置に到達したときは、部品認識処理が、各吸着ノズル２２に吸着された部品について同時に行なわれる。」
Ｄ；「【００３４】なお、上記実施例では、ヘッドユニット５に８個の吸着ノズル２２を具備しているが、吸着ノズルの個数はこれに限らず、複数であればよい。また、レーザーユニット３０の受光部３２を構成するラインセンサの分割数も上記実施例に限定されず、例えば吸着ノズルと同数に分割してもよい。」
　
３−２−３．引用刊行物１の発明
　引用刊行物１には、記載Ａによれば、「部品供給側と装着側とにわたって移動可能なヘッドユニットに設けられた吸着ノズルと、この吸着ノズルを回転させる回転駆動手段と、平行光線の照射部及び受光部を有し上記吸着ノズルに吸着された部品に平行光線を照射して部品の投影幅を検出する部品認識用ユニットと、上記部品認識用ユニットによる検出に基づいて上記吸着ノズルに吸着された部品の認識を行なう手段とを備えた表面実装機において、上記ヘッドユニットに複数の吸着ノズルを配設し、上記部品認識用ユニットの照射部及び受光部を上記吸着ノズル配設範囲に対応する範囲に相対向させて配置し、かつ、上記受光部を複数に分割したラインセンサにより構成するとともに、上記各吸着ノズルに吸着された部品を上記照射部と受光部との間に位置させた状態で上記各吸着ノズルを回転させつつ上記各ラインセンサからの信号を受けて、各吸着ノズルに吸着された部品の認識を同時に行なう制御手段を設けた表面実装機」の発明が記載されていると認められる。
　そして、この発明の表面実装機とは、記載Ｂによれば、電子部品をプリント基板に装着するものであることが窺える。
　また、この発明をより具体的に記載した記載Ｃには、部品供給部４で吸着ノズル２２が下降して部品３５を吸着し、吸着後は、吸着ノズル２２が上昇することが記載され、更に、この上昇した状態で部品の認識が行なわれることが記載されている。
　してみると、引用刊行物１には、以下の発明（以下、「引用発明１」という。）が記載されているということができる。
　
　「電子部品供給側と装着側とにわたって移動可能なヘッドユニットに設けられた吸着ノズルと、この吸着ノズルを回転させる回転駆動手段と、平行光線の照射部及び受光部を有し、上昇した状態の上記吸着ノズルに吸着された電子部品に平行光線を照射して電子部品の投影幅を検出する電子部品認識用ユニットと、上記電子部品認識用ユニットによる検出に基づいて上記吸着ノズルに吸着された電子部品の認識を行なう手段とを備えた表面実装機であって、上記ヘッドユニットに複数の吸着ノズルを配設し、上記電子部品認識用ユニットの照射部及び受光部を上記吸着ノズル配設範囲に対応する範囲に相対向させて配置し、かつ、上記受光部を複数に分割したラインセンサにより構成するとともに、上記各吸着ノズルに吸着された電子部品を上記照射部と受光部との間に位置させた状態で上記各吸着ノズルを回転させつつ上記各ラインセンサからの信号を受けて、各吸着ノズルに吸着された電子部品の認識を同時に行なう制御手段を設けた、電子部品をプリント基板に装着する表面実装機において、電子部品供給部で、吸着ノズルが下降して電子部品を吸着し、吸着後は、吸着ノズルが上昇する表面実装機。」
　
３−２−４．対比判断
　
１）本件発明と引用発明１とを対比する。
　引用発明１の「ヘッドユニット」、「電子部品認識用ユニット」及び「ラインセンサ」は、本件発明の「移載ヘッド」、「部品検出手段」及び「受光部」に相当し、また、引用発明１における「電子部品供給部で、吸着ノズルが下降して電子部品を吸着し、吸着後は、吸着ノズルが上昇する」とは、部品供給部から電子部品をピックアップしていることに他ならない。
　更に、引用発明１の「電子部品認識用ユニット」は、電子部品の投影幅を検出するもので、この電子部品の投影幅を検知するということは、実質的に、電子部品の有無をも検出しているということができる。
　してみると、本件発明は、引用発明１とは、
　「部品供給部から電子部品をピックアップして基板位置決め部に位置決めされた基板に移送搭載する電子部品実装装置であって、前記電子部品を吸着保持する吸着ノズルを複数備えた移載ヘッドと、この移載ヘッドを前記部品供給部と基板位置決め部との間で移動させる移動手段と、前記移載ヘッドに配設され上昇した状態の各吸着ノズルごとに電子部品の有無を光学的方法によって検出する部品検出手段とを備える電子部品実装装置」である点で一致し、
　以下の点において相違していると認められる。
相違点Ａ；本件発明は、「部品検出手段が、各吸着ノズルにそれぞれ個別に対応した一対の投光部と受光部から成り、それぞれの投光部から受光部に至る光軸が各吸着ノズルに保持された電子部品を個別に検出する」点。
　
２）相違点Ａについて検討する。
　引用刊行物１には、記載Ｄによれば、ラインセンサの分割数を吸着ノズルと同数とすること、即ち、各吸着ノズルに対応してラインセンサを設けることが記載されており、また、照射部も、これに倣って各吸着ノズルに対応して設けることも設計的に為し得る事項であるから、引用発明１において、電子部品認識用ユニットが、各吸着ノズルにそれぞれ個別に対応した一対の照射部とラインセンサから成り、それぞれの照射部からラインセンサに至る平行光線が各吸着ノズルに保持された電子部品を個別に検出するよう構成することは、容易に為し得るものといえ、相違点Ａは容易に想到し得るものである。
　
３−２−５．まとめ
　本件発明は、引用発明１に基いて、その出願前にその発明の属する技術の分野における通常の知識を有する者が容易に発明をすることができたものであるから、特許法第２９条第２項の規定により特許を受けることができず、原査定の拒絶理由は、妥当である。
　
４．結び
　原査定は、妥当である。
　したがって、結論のとおり審決する。